Podtech/llm-jp-corpus-v4-ja_patent huggingface dataset:
(57)【要約】【課題】  仮想ショッピングモールに仮想店舗を出店制作するには一般の知識では、制作するのに難しくＩＴ言語を習得するには時間がかかり、また制作を依頼するとかなりの費用がかかり出店を諦めたり、出店してもうまくいかなかった。【解決手段】出店者と登録仮想店舗制作者との間に介在するシステムであって、出店者が制作したい商品ページに近い登録仮想店舗制作者の制作したサンプルを見て、選択し依頼する、登録仮想店舗制作者は依頼された商品のページ詳細を作成し、出店者へ作成データーを送信し出店者は簡単にアップロードし掲載をする。制作費用は、販売実績に対しての報酬発生なので初期投資が低く抑えることができることを特徴とした。【選択図】図１
2012033132.tif 000002
【特許請求の範囲】
【請求項１】
仮想店舗制作者が登録されており、制作サンプルが閲覧でき、安易に仮想店舗制作依頼できるショッピングモールシステム。
【請求項２】
前記仮想店舗制作は商品ごとに登録仮想制作者を変更できるショッピングモールシステム。
【請求項３】
前記登録仮想店舗制作者への報酬は、制作したページの売上実績に対して費用が発生する、ショッピングモールシステム。
【発明の詳細な説明】
【技術分野】
【０００１】本発明は、インターネット上で商品を販売するショッピングモールでのシステムで、特にショッピングモールに出店した場合に必要とされる出店者の商品ページ制作を代理してもらうことを安易に提供できるシステムに関する。
【背景技術】
【０００２】サーバーコンピューター上に仮想店舗を有するショッピングモールシステムは、仮想店舗制作には、一般人にも作れるようになってきているがやはり商用仮想店舗になるとある程のＩＴ言語技術の習得が必須であり、このような点により出店を断念もしくは時間的労力的金銭的に費やさなければならなくなる。【０００３】出店者は、ＩＴ言語技術者の募集採用を検討したり、ホームページ制作事業者の依頼を検討するがスタート時より初期投資がかけられず、また投資をしたとしても採算があうまで時間がかかり出店をとりやめていく出店者もいると言われている。
【発明の概要】
【発明が解決しようとする課題】
【０００４】本発明は、上記問題をかんがみて、出店者と仮想店舗制作者との間に介在し、出店者の課題である仮想店舗の商品ページの制作を登録仮想店舗制作者に依頼でき、出店者は販売実績に応じてショッピングモールシステムを通して登録仮想店舗制作者に金銭を支払う作業をシステムで提供することを課題とする。
【課題を解決するための手段】
【０００５】本発明のショッピングモールシステムは、出店者と登録仮想店舗制作者（個人・法人を問わず）との間に介在するシステムであって、出店者が制作したい商品ページに近い登録仮想店舗制作者の制作したサンプルを見て、選択し依頼する、登録仮想店舗制作者は依頼された商品のページ詳細を作成し、出店者へ作成データーを送信し出店者は簡単にアップロードし掲載をする。【０００６】登録仮想店舗制作者に対する報酬は、販売実績に対しての歩合として、ショッピングモール運営者が出店者側から徴収し、登録仮想店舗制作者側に支払う。ショッピングモール運営者が介在することにより売上の正当性があり、登録仮想店舗制作者も安心して作業することができ、上記の一連の作業をシステムプログラムで行う。
【発明の効果】
【０００７】本発明の効果は、出店者のショッピングモールへの出店時の仮想店舗ページの作成を自身で制作する必要がなくなる、制作費用も商品の販売実績に対しての歩合発生なので初期投資が低く抑えることができる。
【発明を実施するための形態】
【０００８】本発明は、サーバーコンピュータ０１に商品ページ制作希望者を登録を促し登録をさせ、ＩＤ、パスワードを発行する。ＩＤ・パスワードによりログインしてサンプルの商品ページ５から３０ページ程度のサンプルショップを制作する。サンプルショップは登録仮想店舗制作者の作品となる。
【０００９】サーバーコンピューター０１には登録仮想店舗制作者が制作したサンプルショップでまとまり出来上がっているサンプルショッピングモールがある。実際に稼動しているショッピングモールとサンプルショッピングモールは、同じ仕組みでできている。
【００１０】稼動ショッピングモールに出店者もしくは出店をしようとするものは、サンプルショッピングモールに出店者用ＩＤでログインしサンプルショッピンモールを閲覧する。気に入った商品ページから登録仮想店舗制作者のプロフィールへいき閲覧し質問、要望、依頼などのメッセージを送る。登録仮想店舗制作者はメッセージを受取り自身で制作できるか検討しできるようであれば、返信メッセージに制作了解のメッセージを送る。
【００１１】依頼を受けた登録仮想店舗制作者は、自身のサンプルショップに依頼された商品ページを制作し依頼出店者へメッセージを送る。メッセージのやり取りにより制作した商品ページに修正編集をかけ完成させる。
【００１２】登録仮想店舗制作者は出店者より完成に承諾を得た商品ページをショッピングモール専用データ型０３に排出し依頼出店者へ送信する。依頼出店者は稼動ショッピングモールに自身のＩＤ・パスワードでログインをして受取った専用データーをアップロードし商品編集画面より価格、在庫などの確認を行い表示最終手続きを行う。
【００１３】ショッピングモール専用データ型０３には制作者番号が挿入されており、登録仮想店舗制作者が販売実績に応じて受け取るべき報酬が登録制作者専用ＩＤでログインすると確認できるようになっている。
【００１４】登録仮想店舗制作者が受取るべき、売上に対しての報酬が月額により集計され、ショッピングモール運営者を介して支払う。
【００１５】「実施形態の効果」
この実施形態によればショッピングモール運営者が行うサービスにより、売上に対する報酬が正確になり、成果報酬型でも仮想店舗ページごとに登録仮想店舗制作者が作成することが可能になる。
【図面の簡単な説明】
【００１６】
【図１】仮想店舗登録制作者の登録・制作・アップロード・売上発生の流れを簡単に表すフローチャート。
【符号の説明】
【００１７】  １  サンプルページをＵＰロード
２  サンプルページを閲覧製作者へ質問・要望・依頼
３  ２に対しての返答
４  注文・依頼
５  受注
６  作成
７  データ排出を出店者へ送信
８  商品データアップロード
９  売り上げ
１０  商品の売り上げに対して請求
１１  支払い
１２  出店者より支払われた報酬を支払い
【図１】
2012033132.tif 000003
(57)【要約】      （修正有）【課題】化学的に安定で、消化管からの吸収性および有効血中濃度持続時間がすぐれた経口投与用ビタミンＣ液剤を提供する。【解決手段】中鎖脂肪酸トリグリセライドを主体とし、これにミツロウおよび大豆レシチンを加えた液状混合物中に、ビタミンＣパルミチン酸エステルを溶解／懸濁してなる油性ビタミンＣ経口投与用組成物。好ましくは、前記液状混合物は中鎖脂肪酸トリグリセライド１００重量部に対し、ミツロウ５〜２０重量部、および大豆レシチン３０〜６０重量部を含んでいる。ビタミンＣパルミチン酸エステルは組成物全体の２０〜４０重量％を占めるように前記液状混合物中に添加される。服用を容易にするため製剤は適量の甘味剤および香料を含むことができる。【選択図】なし【特許請求の範囲】
【請求項１】
中鎖脂肪酸トリグリセライドを主体とし、これにミツロウおよび大豆レシチンを加えた液状混合物中に、ビタミンＣパルミチン酸エステルを溶解／懸濁してなる油性ビタミンＣ経口投与用組成物。
【請求項２】
中鎖脂肪酸トリグリセライド１００重量部に対し、ミツロウ５〜２０重量部および大豆レシチン３０〜６０重量部を含んでいる請求項１の油性ビタミンＣ経口投与用組成物。
【請求項３】
ビタミンＣパルミチン酸エステルが組成物全体の２０〜４０重量％を占める請求項１または２の油性ビタミンＣ経口投与用組成物。
【請求項４】
適量の甘味剤および香料を含有する請求項１ないし３のいずれかの油性ビタミンＣ経口投与用組成物。
【発明の詳細な説明】
【技術分野】
【０００１】
本発明は、医薬品または栄養サプリメントとして服用される油性ビタミンＣ経口投与用組成物に関する。
【背景技術】
【０００２】
ビタミンＣ（アスコルビン酸）は、ビタミン類の中では最も多量に必要とされ、その所要量は成人で１日５０ｍｇ〜２０００ｍｇとされる。ビタミンＣはビタミンＣ欠乏症の治療および予防のほか、その還元作用に基く有益な生物学的作用を持っており、近年栄養サプリメントとしての摂取が増加している。
【０００３】
高濃度のビタミンＣを含む液剤を望む場合、アスコルビン酸およびナトリウム塩のようなその塩の水溶液は不安定で、空気中の酸素により生理学的に不活性な酸化型ビタミンＣに速やかに酸化されるので液剤には不適であるばかりでなく、消化管からの吸収率および有効血中濃度持続時間が満足でない。
【０００４】
これらの欠点を改良したビタミンＣを封入したリポソームがサプリメントとして市販されている。しかしながらその製造は複雑な操作を必要とし、有効血中濃度持続時間も満足ではない。
【０００５】
Ｌ−アスコルビン酸、その塩およびそのエステルを油脂に懸濁させた油性Ｌ−アスコルビン酸製剤が特開昭６２−７７３２０号公報に提案されている。この製剤は、体内において不飽和脂肪酸の活性酸素による過酸化脂質への酸化防止の働きをするビタミンＥを酸化型から還元型へ戻す役目を果すため、単位重量当りのビタミンＣ含有量を他の製剤よりも多くする目的で開発されたものである。従って脂溶性のビタミンＥと同時に投与されることが必要で、ビタミンＣの消化管からの吸収や有効血中濃度の長時間持続を意図したものではない。
【先行技術文献】
【特許文献】
【０００６】
【特許文献１】特開昭６２−７７３２０号公報
【発明の概要】
【発明が解決しようとする課題】
【０００７】
従って本発明の課題は、化学的に安定で、消化管からの吸収性および有効血中濃度持続性にすぐれた経口投与用ビタミンＣの油性製剤を提供することである。
【課題を解決するための手段】
【０００８】
本発明によれば、中鎖脂肪酸トリグリセライドを主体とし、これにミツロウおよび大豆レシチンを加えた液状混合物中に、ビタミンＣパルミチン酸エステルを溶解／懸濁してなる油性ビタミンＣ経口投与用組成物が提供される。
【０００９】
好ましい具体例では、前記液状混合物は中鎖脂肪酸トリグリセライド１００重量部に対し、ミツロウ５〜２０重量部、および大豆レシチン３０〜６０重量部を含んでいる。ビタミンＣパルミチン酸エステルは組成物全体の２０〜４０重量％を占めるように前記液状混合物中に添加される。服用を容易にするため製剤は適量の甘味剤および香料を含むことができる。
【００１０】
本発明の油性製剤は、１回分または多数回分を任意の包装に液密に収容して出荷することもできるほか、常法により軟カプセルまたは硬カプセルに封入して出荷することもできる。
【図面の簡単な説明】
【００１１】
【図１】ビタミンＣリポソーム製剤およびビタミンＣ（アスコルビン酸）水溶液と比較した、本発明のビタミンＣ油性製剤のマウスを使用した吸収性および持続性試験の結果を示すグラフである。
【実施例】
【００１２】
【表１】
2012111712.tif 000002
【００１３】
製造法
中鎖脂肪酸トリグリセライドを６０℃に加温し、ミツロウを加えてミキサー中高速で攪拌し、均一に溶解する。さらに大豆レシチンを加え、３０℃に冷却した後ビタミンＣパルミチン酸エステルおよび甘味料を加え、ゆるやかに攪拌しながら香料を加え、２０℃に冷却する。
【００１４】
得られた製品は粘性ある褐色の液体である。この液体７０００ｍｇまたは適量をシール包装、スティック、ボトルなどに包装して出荷するか、または常法により適量を軟カプセルまたは硬カプセルに充填する。
【００１５】
吸収性試験
１群３匹よりなる１６〜２８ケ月、体重約３０ｇのマウスを使用し、実施例で得た本発明のビタミンＣ油性製剤（パルミテートＶＣ）と、市販のビタミンＣリポソーム製剤（リポソームＶＣ）と、Ｌ−アスコルビン酸水溶液（ＶＣ水）の吸収性比較実験を行った。マウスは実験前２週間はビタミンＣ欠乏飼料と、１．５ｇ／ＬのＶＣ水で飼育し、１夜絶食させ、翌朝尾静脈から採血後、パルミテートＶＣ、リポソームＶＣおよびＶＣ水をそれぞれの群にゾンデを使って強制的に経口投与し、３時間後、６時間後、１２時間後および２４時間後に採血し、血漿ＶＣ濃度を測定した。結果を図１のグラフに示す。
【００１６】
投与量は、ビタミンＣとして４５ｍｇ／３０ｇ体重となるように、リポソームＶＣは２５０μｌ／３０ｇ体重、パルミテートＶＣは４１１μｌ／３０ｇ体重、ＶＣ水は２５０μｌ／３０ｇ体重とした。最初の採血後から２４時間後の採血までは、マウスにはビタミンC欠乏飼料を与え、ＶＣ水の代りに匹敵するｐＨ値の塩酸水を自由に摂取させた。
【００１７】
血液サンプル中のビタミンＣ濃度は、高速液体クロマトグラフィーと電気化学検出器を組合せて測定した。
【００１８】
図１のグラフが示すように、リポソームＶＣ投与群とパルミテートＶＣ群は３時間後および１２時間の血漿ＶＣ濃度がＶＣ水投与群に比べて有意に高かった。投与２５時間後では、リポソーム投与群ではＶＣ水投与群と同様に血漿ＶＣ濃度は初期値まで低下するのに対し、パルミテートＶＣ投与群では初期値の約２倍を維持し、本発明の油性ビタミンＣ製剤の長い有効血中濃度持続時間を証明している。
【図１】
2012111712.tif 000003
(57)【要約】      （修正有）【課題】エスカレーター踏み段の蹴上部に特有の油と塵の蓄積された汚れを落とすに適した自動清掃装置を提供する。【解決手段】リンク式支持金具２の先端部にエスカレーター蹴上部に接して回転ブラシ１を設置し、電気モーター４によりベルト５、プーリー６を介して回転ブラシ１を回転させる装置構成とする。これを移動可能な枠３に固定し、その枠３をエスカレーターの下階から上階に引き揚げることにより、蹴上部表面９の凹凸部の汚れを掻き出し、順次蹴上部を清掃出来る。【選択図】図２
2012111633.tif 000002
【特許請求の範囲】
【請求項１】
エスカレーターの踏み段における蹴上部の清掃を、リンク式支持金具の先端に電動モーター駆動によるブラシ回転式清掃装置を設置し、該装置を移動可能な枠に固定し、その枠を上部に移動することにより順次、蹴上部を清掃出来るエスカレーター蹴上部清掃装置。
【発明の詳細な説明】
【技術分野】
【０００１】  エスカレーターの踏み段清掃
【背景技術】
【０００２】  従来のエスカレーター踏み段の蹴上部清掃は、人力による箒・ブラシによるもの、又ブラシ状の吸い口とバキュームクリーナーの組み合わせのものがあった。【０００３】温水高圧水洗浄の方法が開発され油汚れに有効であった。【０００４】  しかし、踏み段の駆動用チエンの注油から蹴上部に滲み出た油と塵の積層による汚れが硬化したもの、又ジュース、コーヒー等の糖質の汚れが硬化したものについては、洗剤の塗布後のブラシによる物理的除去方法が必要であり、従来作業においては多くの人力と多くの作業時間を費やしていた。
【特許文献１】  特許第３０８４４３８号
【発明の開示】
【発明が解決しようとする課題】
【０００５】  エスカレーター踏み段における蹴上部の、塵とチエンオイルと一体となったスラッジ状の汚れを短時間で簡便・正確に除去出来る方法と装置を開発し、エスカレーター清掃における、踏み段清掃の完成度を高め、作業時間の短縮と作業効率向上によるコストの軽減を図る。【０００６】  エスカレーター踏み段に付着したコーヒージュース等の、乾燥後染みとなった汚れを除去する為の手段として、洗剤で分解する方法があるが、その効果を高める為、洗剤塗布後のブラッシングが必要であった。
【課題を解決するための手段】
【０００７】  エスカレーターの踏み段における蹴上部の清掃を回転ブラシによる塵の掻き出しにより、蹴上部表面を研磨・清掃する装置を開発するものである。【０００８】  油汚れ及び糖質の硬化による汚れには、洗剤を噴霧・付着させておいてブラッシングによる物理的作用により、分解の速度を速め、効率の良い清掃を開発するものである。
【発明の効果】
【０００９】  本発明により、エスカレーターの蹴上部における油汚れ、及び糖質の硬化による汚れが、短時間に除去出来るもので、効率的で、質の高いエスカレーター蹴上部の清掃を実現出来るものである。【００１０】  特許第３０８４４３８にある「エスカレーター清掃の工法特許」に更なる進歩を加えるものであり、清掃の完成度とコスト削減に寄与するものである。
【発明を実施する為の最良の形態】
【実施例】
【００１１】  以下、本発明の実施の形態を図１から図３に基づいて説明する。【００１２】  図において、▲１▼は回転ブラシ。▲２▼はリンク式支持金具。▲３▼は移動式の台。▲４▼は電気モーター。▲５▼は駆動用ベルト。▲６▼はプーリー。▲７▼は車輪。▲９▼は踏み段の蹴上部。【００１３】  図１は側面断面図である。図１において、蹴上部▲９▼の表面に電動噴霧器で洗浄薬品を噴霧付着させ、▲４▼の電気モーターを起動させ、▲６▼のプーリー、▲５▼のベルトを介して▲１▼の回転ブラシを回転させる。【００１４】  ▲３▼の移動式の台を上方に移動させることにより、▲２▼のリンク機構を介し、▲１▼の回転ブラシが回転しながら蹴上部の下方から上方に移動しながら蹴上部のブラッシング清掃を行い、図２の位置に達する。【００１５】  蹴上部の最上部に到達すると、踏み板面を水平移動し、図１のように蹴上部の下部に当たる。【００１６】  ▲３▼の移動台を更に上方に移動させることにより、随時蹴上部の清掃を行うことが出来る。【００１７】  図３は正面図で、回転ブラシを踏み段の左側下部に設置して、蹴上部を下部から上部に清掃しようとしている図である。【００１８】  ▲３▼の移動式架台をエスカレーター踏み段の下階から上階に移動して左側の清掃が終わると下階に降ろし、▲４▼の電気モーターと▲２▼のリンク式支持金具一体となっている▲８▼の台を、▲３▼の移動式架台の右側に移動して固定する。【００１９】  ▲３▼の移動式架台をエスカレーター踏み段の下階から上階に移動して、残りの蹴上部を清掃する。【００２０】  エスカレーターを運転して、裏側に隠れていた踏み段を現し、上記［００１３］から［００１９］の作業を行い完了となる。
【図面の簡単な説明】
【００２１】
【図１】  本発明の実施形態を示す蹴上部清掃装置本体の側面断面図である。
【図２】  同じく側面断面図である。
【図３】  同じく正面図で、エスカレーター下階から水平に見た図である。
【符号の説明】  ▲１▼回転ブラシ
▲２▼リンク式支持金具
▲３▼上下移動式の架台
▲４▼電気モーター
▲５▼駆動ベルト
▲６▼プーリー
▲７▼車輪
▲８▼装置支持台
▲９▼踏み段の蹴上部
▲１０▼デッキプレート
▲１１▼移動手摺
【図１】
2012111633.tif 000003
【図２】
2012111633.tif 000004
【図３】
2012111633.tif 000005
(57)【要約】【課題】石油燃料に代わる、安価で再生可能なクリーンなエネルギーを要する。【解決手段】太陽光を分光し、水素が燃焼する時に発する青色光と同じ波長の太陽光を取り出し増幅させ水に照射する。【選択図】図１
2012111676.tif 000002
【特許請求の範囲】
【請求項１】
太陽光の中の青色光を使用することで、水を水素と酸素に分離する
【発明の詳細な説明】
【技術分野】
【０００１】クリーンエネルギー生産
【背景技術】
【０００２】量子力学
【発明の概要】
【発明が解決しようとする課題】
【０００３】水から水素を取り出す
【発明の効果】
【課題を解決するための手段】
【０００４】太陽光を分光し、その中から青色光を取り出し増幅させて水に照射する
【発明の効果】
【０００５】青色光が水を分離させ水素（Ｈ２）と酸素（Ｏ２）、にする
【図面の簡単な説明】
【０００６】
【図１】太陽光を分光するプリズムのような機器を使い、その分光された太陽光の青色光のみを取り出し、レーザーを形成するように鏡面に青色光を何度も反射させ、波長の振幅を増幅させ、その増幅青色光を水に照射する
【図２】増幅青色光を水分子に照射すると、水分子の電子の軌道が増幅され、軌道が不安定になり、電子が外へ飛び出しやすくなる。
【発明を実施するための形態】
【０００７】分光機と光の増幅機（例：レーザー機器）を使用し、青色光を増幅させ、水の水槽へ照射させる。
【産業上の利用可能性】
【０００８】水素を利用し、発電、可燃燃料などに使用できる。
【図１】
2012111676.tif 000003
【図２】
2012111676.tif 000004
【手続補正書】
【提出日】平成24年1月23日(2012.1.23)
【手続補正２】
【補正対象書類名】特許請求の範囲
【補正対象項目名】請求項１
【補正方法】変更
【補正の内容】
【請求項１】
太陽光の中の青色光（４８０ｎｍ〜５７０ｎｍ）を水に照射することで、水を水素と酸素に分離、精製し、水素ガスを作り出す。
(57)【要約】      （修正有）【課題】従来の２穴パンチ具を安定的に使用するためには、力点であるハンドル部は常にパンチ具の基台の外周に立てた垂線で囲まれた範囲内になければならない。多数枚の紙を弱い力で穿孔するためには支点と力点との距離を大きくすればよいが、このためにはハンドル部が大きくなり、必然的にパンチ具基台の奥行きが長くなり、設置スペースを大きくとることになる。パンチ具基台の短辺の長さが短くて、しかも、大きな穿孔能力を持つ２穴パンチ具を提供する。【解決手段】１穴パンチを２台縦に並べ、奥のパンチの外ハンドル４で手前のパンチの内ハンドル３を覆う構造で、側面方向から書類を差し込んで穿孔する構成とした。【選択図】図１
2012111026.tif 000002
【特許請求の範囲】
【請求項１】
１穴パンチを２台縦に並べ、奥のパンチのハンドルで手前のパンチのハンドルを覆う構造で、側面方向から書類を差し込んで穿孔する２穴パンチ具。
【発明の詳細な説明】
【技術分野】
【０００１】  この発明は、穿孔刃が縦に並んでいる２穴パンチ具に関する。
【背景技術】
【０００２】  従来の２穴パンチ具は穿孔刃が横に並んでいる。
【発明の概要】
【発明が解決しようとする課題】
【０００３】  従来の２穴パンチ具を安定的に使用するためには、力点であるハンドル部は、操作中は常にパンチ具の基台の外周に立てた垂線で囲まれた範囲内になければならない。多数枚の紙を弱い力で穿孔するためには支点と力点との距離を大きくすればよいが、このためにはハンドル部が大きくなり、必然的にパンチ具基台の奥行きが長くなり、設置スペースを大きくとることになる。【０００４】  本発明は、パンチ具基台の短辺の長さが短くて、しかも、大きな穿孔能力を持つ２穴パンチ具を提供することを課題とする。
【課題を解決するための手段】
【０００５】  上記の課題を解決するために、本発明の２穴パンチ具は、１穴パンチを２台縦に並べ、奥のパンチのハンドルで手前のパンチのハンドルを覆う構造で、側面方向から書類を差し込んで穿孔する構成とした。
【発明の効果】
【０００６】  本発明の２穴パンチ具は、２つの穿孔刃とハンドルが１直線上にあり、パンチ具基台の長辺は長くなるが、短辺は短くてすみ、狭い隙間に収納することが可能である。
【図面の簡単な説明】
【０００７】
【図１】本発明の２穴パンチ具の実施例の側面透視図である。
【図２】本発明の２穴パンチ具の実施例の平面透視図である。
【図３】図２におけるＡ−Ａ線断面図である。
【発明を実施するための形態】
【０００８】  以下、本発明の実施の形態を図１、図２、図３に基づいて説明する。
【０００９】  前穿孔刃１は内ハンドル３で駆動され、後穿孔刃は外ハンドル４で駆動されるが、内ハンドル３は外ハンドル４で覆われており、使用者が外ハンドル４を下方に押し下げると内ハンドル３も下方に押し下げられ、前穿孔刃１と後穿孔刃２が押し下げられて書類を穿孔する。
【符号の説明】
【００１０】１    前穿孔刃
２    後穿孔刃
３    内ハンドル
４    外ハンドル
５    支点ピン
６    押しピン
７    穿孔刃ガイド
８    バネ
９    作動部基台
１０  穿孔孔
１１  基台
１２  パンチ屑溜めカバー
１３  支点ピン支持台
【図１】
2012111026.tif 000003
【図２】
2012111026.tif 000004
【図３】
2012111026.tif 000005
(57)【要約】【課題】本発明は、ヘッドを簡単に取り替えることができるピンセットを提供することを目的とする。【解決手段】本発明に係るピンセットは２つの弾性アームを有する本体と、２つのヘッドと、を備え、２つのヘッドにはそれぞれ収容穴が開設され、２つの前記弾性アームは、２つの前記ヘッドの収容穴に係合する。【選択図】図１
2012111028.tif 000002
【特許請求の範囲】
【請求項１】
２つの弾性アームを有する本体と、
２つのヘッドと、
を備えてなるピンセットであって、
２つの前記ヘッドにはそれぞれ収容穴が開設され、２つの前記弾性アームは、２つの前記ヘッドの前記収容穴に係合することを特徴とするピンセット。
【請求項２】
前記ヘッドの前記弾性アームに接続する一端には連接部が形成され、前記収容穴は前記連接部に開設され、前記ヘッドの前記弾性アームに接続する一端の底部には前記収容穴と前記連接部の外部とを連通させる開口が設けられ、前記弾性アームは前記開口から前記収容穴に挿し込まれることを特徴とする請求項１に記載のピンセット。
【請求項３】
前記連接部の外側面には、前記収容穴と前記連接部の外部とを連通させるスロットが開設され、前記弾性アームの前記ヘッドに接続する一端には、前記スロットに係合する弾性板が突設されることを特徴とする請求項２に記載のピンセット。
【請求項４】
前記弾性アームの前記ヘッドに接続する一端の外側面には、開口が開設され、前記弾性板は、前記開口の側縁から斜めに突設されることを特徴とする請求項３に記載のピンセット。
【発明の詳細な説明】
【技術分野】
【０００１】
本発明は、ピンセットに関するものである。
【背景技術】
【０００２】
従来のピンセットは何度も使用すると先端が摩損して使えなくなるため、ピンセット全体を破棄しなければならない。
【０００３】
そのため、着脱可能なヘッドを有するピンセットが提供される。ピンセットのヘッドが摩損すると、古いヘッドを本体から取り外し、新しいヘッドを本体に取り付けて使う。
【０００４】
しかし、前記ピンセットのヘッドは螺子によって本体に締め付けられているため、装着並びに分解に手間がかかる。
【発明の概要】
【発明が解決しようとする課題】
【０００５】
本発明は、前記課題を解決し、ヘッドを簡単に取り替えることができるピンセットを提供することを目的とする。
【課題を解決するための手段】
【０００６】
この目的を達成するために、本発明に係るピンセットは２つの弾性アームを有する本体と、２つのヘッドと、を備え、２つのヘッドにはそれぞれ収容穴が開設され、２つの前記弾性アームは２つの前記ヘッドの収容穴に係合する。
【発明の効果】
【０００７】
本発明に係るピンセットは、弾性アームをヘッドの収容穴に挿し込んで固定できるので、ヘッドの取り替えが便利である。
【図面の簡単な説明】
【０００８】
【図１】本発明の第一実施形態に係るピンセットの立体分解図である。
【図２】図１に示すピンセットの立体組立図である。
【図３】本発明の第二実施形態に係るピンセットの立体組立図である。
【発明を実施するための形態】
【０００９】
以下、図面を参照して本発明の実施形態について説明する。
【００１０】
図１に示したように、本発明の第一実施形態に係るピンセットは、２つの弾性アーム１０を有する本体と、２つの前記弾性アーム１０にそれぞれ装着される２つのヘッド２０と、を備える。
【００１１】
各々の前記弾性アーム１０の外側におけるその自由端に近い箇所には、開口が設けられており、この開口の側縁から弾性板１２が斜めに突設される。
【００１２】
前記ヘッド２０は略四角錐状であり、その底部は収容穴２２を有する連接部２１であり、前記連接部２１の外側面には前記収容穴２２と前記連接部２１の外部とを連通させるスロット２４が開設されている。前記ヘッド２０の底面には、前記収容穴２２と前記連接部２１の外部とを連通させる開口２５が開設されている。
【００１３】
図２に示したように、前記ピンセットを組み立てる際は、二つの前記弾性アーム１０の自由端を、それぞれ２つの前記ヘッド２０の連接部２１の開口２５から、収容穴２２に挿し込む。これにより２つの前記弾性アーム１０の前記弾性板１２は、それぞれ対応する前記収容穴２２の上壁に押圧されて前記収容穴２２内で折り畳まれ、次いで前記弾性板１２の自由端が前記スロット２４に到達すると、前記弾性板１２が弾性的に復元して、前記弾性板１２の自由端は前記スロット２４の底辺に係止される。
【００１４】
前記ヘッド２０を取り替える場合、前記ヘッド２０のスロット２４に係止された前記弾性アーム１０の前記弾性板１２の自由端を押すことによって、前記弾性板１２を前記スロット２４から退出させ、次いで前記弾性アーム１０を引き出すと、前記ヘッド２０を前記弾性アーム１０から取り外して、新たなヘッド２０を装着することができる。
【００１５】
図３に示したように、前記第一実施形態に係るピンセットに比べて、本発明の第二実施形態に係るピンセットにおいて、２つの弾性アーム１０には弾性板が突設されず、２つのヘッド３０の連接部３２の外側面にもスロットが開設されない。従って、本実施形態の前記ピンセットを組み立てる際、２つの前記弾性アーム１０の自由端を、それぞれ２つの前記ヘッド３０の連接部３２の開口３４から、収容穴（図示せず）に緊密に係合させればよい。
【００１６】
他の実施形態において、ヘッドの先端を尖形または鉤形などに取り替えることもできる。
【符号の説明】
【００１７】
１０  弾性アーム
１２  弾性板
２０，３０  ヘッド
２１，３２  連接部
２２  収容穴
２４  スロット
２５，３４  開口
【図１】
2012111028.tif 000003
【図２】
2012111028.tif 000004
【図３】
2012111028.tif 000005
(57)【要約】【課題】本発明は、パンチ具基台の奥行きが短くて、しかも、大きな穿孔能力を持つ２穴パンチ具を提供することを課題とする。【解決手段】外ケースを押し下げることにより外ケースに連結されたラックギヤで軸を同じくする大小のピニオンギヤのうち大きい方を回転させ、小さいほうのピニオンギヤで穿孔刃が取り付けられたラックギヤを下方に押し下げて書類を穿孔する構成とした。【選択図】図１
2012111024.tif 000002
【特許請求の範囲】
【請求項１】
外ケースを押し下げることにより外ケースに連結されたラックギヤで軸を同じくする大小のピニオンギヤのうち大きい方を回転させ、小さいほうのピニオンギヤで穿孔刃が取り付けられたラックギヤを下方に押し下げて書類を穿孔する２穴パンチ具。
【発明の詳細な説明】
【技術分野】
【０００１】  この発明は、穿孔刃の駆動にラックギヤとピニオンギヤを使用する２穴パンチ具に関する。
【背景技術】
【０００２】  従来の２穴パンチ具は梃子の原理を利用している。
【発明の概要】
【発明が解決しようとする課題】
【０００３】  従来の２穴パンチ具を安定的に使用するためには、力点であるハンドル部は、操作中は常にパンチ具の基台の外周に立てた垂線で囲まれた範囲内になければならない。多数枚の紙を弱い力で穿孔するためには支点と力点との距離を大きくすればよいが、このためにはハンドル部が大きくなり、必然的にパンチ具基台の奥行きが長くなり、設置スペースを大きくとることになる。【０００４】  本発明は、パンチ具基台の奥行きが短くて、しかも、大きな穿孔能力を持つ２穴パンチ具を提供することを課題とする。
【課題を解決するための手段】
【０００５】  上記の課題を解決するために、本発明の２穴パンチ具は、外ケースを押し下げることにより外ケースに連結されたラックギヤで軸を同じくする大小のピニオンギヤのうち大きい方を回転させ、小さいほうのピニオンギヤで穿孔刃が取り付けられたラックギヤを下方に押し下げて書類を穿孔する構成とした。
【発明の効果】
【０００６】  本発明の２穴パンチ具は、ラックギヤとピニオンギヤを使うものであって、力を穿孔刃のほぼ真上から真下に加える構造であるため、穿孔刃駆動部分の奥行きは数センチもあれば十分である。また、基台の奥行きも穿孔刃駆動部分を固定するためのスペース、穿孔する書類の端から穿孔孔までの適当な距離、穿孔孔周辺のスペースが確保されれば十分機能するため、従来の小型の２穴パンチ具より大幅に短縮することが可能である。
【図面の簡単な説明】
【０００７】
【図１】本発明の２穴パンチ具の実施例の正面透視図である。
【図２】本発明の２穴パンチ具の実施例の平面透視図である。
【図３】本発明の２穴パンチ具の実施例の斜視図である。
【発明を実施するための形態】
【０００８】  以下、本発明の実施の形態を図１、図２に基づいて説明する。
【０００９】  外ケース６を下方に押し下げると入力ラックギヤ１が下方に押し下げられ２段ピニオンギヤ２の大きい方が回転される。これに伴い、２段ピニオンギヤ２の小さい方も回転し出力ラックギヤ３が下方に押し下げられ、穿孔刃４が下方に押し下げられる。この際、左右の内側の２段ピニオンギヤ２を連動させると左右の入力ラックギヤ１が均等に押し下げられる。
【符号の説明】
【００１０】１    入力ラックギヤ
２    ２段ピニオンギヤ
３    出力ラックギヤ
４    穿孔刃
５    内ケース
６    外ケース
７    基台
８    パンチ屑溜めカバー
９    バネ
１０  穿孔孔
１１  ラックギヤガイド
【図１】
2012111024.tif 000003
【図２】
2012111024.tif 000004
【図３】
2012111024.tif 000005
(57)【要約】【課題】冷えたワインボトル等を従来の布製の容器カバーに挿入すると、結露し、ボトルラベル等が損傷したり服に水滴が付着した。また、ボトルの抽出後乾燥するのに時間がかかった。【解決手段】適切な太さの発泡糸の縦糸と、適切な太さの発泡糸若しくはノーマル糸の横糸とを適切な回数の打ち込みで編成し、この編成体を使って形成することによって、結露のない、また、速乾性の容器カバーが製造できる。【特許請求の範囲】
【請求項１】
非吸水性の糸を緯糸及び経糸として編成された編成体を使って形成された容器カバーにおいて、
２５０〜３００デニールの経糸又は緯糸と１８０〜２００デニールの緯糸又は経糸とを４０回〜５０回／インチの密度で編成した前記編成体を用いたことを特徴とする容器カバー。
【請求項２】
前記経糸及び前記緯糸の少なくとも一方が、表面に凹凸又は溝を有する糸であることを特徴とする請求項１に記載の容器カバー。
【請求項３】
前記経糸及び前記緯糸のいずれか一方が発泡ポリエチレン糸で、経糸又は緯糸が２５０デニール、緯糸又は経糸が１８０デニールあることを特徴とする請求項２に記載の容器カバー。
【発明の詳細な説明】
【技術分野】
【０００１】  この発明は、ワインボトル、瓶ビール、缶ビール、酒瓶等の容器を収納するカバーに関する。
【背景技術】
【０００２】  従来の容器カバーは、単純にボトルを運搬するだけの用途に限られ、それに耐えうるのみの素材、製織にて製造されていた（例えば特許文献１参照）。
【先行技術文献】
【特許文献】
【０００３】
【特許文献１】  特開２００３−３３５３７１号公報
【発明の概要】
【発明が解決しようとする課題】
【０００４】  しかしながら、以上の技術によれば、特に冷えているワインボトル等をそのカバーに収納すると結露し、ラベルが剥がれたり、服に水滴が付いたりした。そこで、この発明は、そのような欠点を解決することを課題とする。
【課題を解決するための手段】
【０００５】  以上の課題を解決するために、本発明の発明者が鋭意研究を行った結果、ポリエチレン等の樹脂で形成された非吸水性の糸からなる緯糸と経糸とで編成された編成体において、緯糸と経糸とで形成される格子の大きさを調整することで、この格子に水分を閉じ込めることができるとともに、閉じ込められた水分がボトルや衣服等に再付着しにくいことを見いだした。特に、前記緯糸及び経糸の少なくとも一方に発泡糸のような表面積を大きくした糸を用いることで、水分の閉じ込め性と再付着性を向上させることができることを見いだした。
具体的に、本発明は、非吸水性の単糸からなる緯糸と経糸とで編成された編成体を使って形成された容器カバーにおいて、２５０〜３００デニールの経糸又は緯糸と１８０〜２００デニールの緯糸又は経糸を４０回〜５０回／インチの密度で編成した前記編成体を用いた構成としてある。上記太さの糸は、どちらを経糸又は緯糸としてもよい。編成の種類としては、編成体に多少の力を加えても容易に格子の大きさが変化しないもの、例えば、交織り、平織り、綾織り、柄織り等を挙げることができる。また、糸としては、発泡糸のように表面積を増大させた糸が好ましく、複数本の繊維からなる撚糸でもよいが、一本の繊維からなる単繊維糸の方が好ましい。
前記縦糸としてはポリエチレンの２５０〜３００デニールまでの発泡糸（糸に気泡がある糸、また、緯糸にポリエチレンの１８０〜２００デニールの発泡糸若しくはノーマル糸を使用することができる。
【発明の効果】
【０００６】  本発明によれば、冷蔵されたワインボトル等をすぐに本ボトルケースに挿入しても、挿入中は結露が無く、ボトルラベル等の水分による損傷が無く、また、服への水滴の付着が防止できる。また、ボトルを抽出した後は速やかに乾燥する。
【発明を実施するための最良の形態】
【０００７】  本発明の好適な実施形態について説明すると、容器カバーを形成するための編成体を構成する経糸及び緯糸として、非吸水性の糸を用いる。非吸水性であれば、天然糸、合成糸、半合成糸、再生糸のいずれでもよいが、ナイロン（登録商標）、ポリエチレン、ポリプロピレン、ポリ乳酸、アクリルなどの樹脂糸が好ましい。また、複数本の繊維を撚ってなる糸でもよいが、一本の繊維からなる単繊維糸であるのが好ましい。
さらに、経糸及び緯糸の一方又は両方に、発泡糸のように表面に凹凸や溝を形成して表面積を増大させた糸を用いるのが好ましい。
経糸及び緯糸とで構成される編成体の格子（経糸と横糸とで囲まれた孔）の大きさは、経糸及び緯糸の材質、糸の太さ、発泡糸とかの種類、織りの密度（単位長さあたりの交織りの回数に比例する）とで決定し、最も吸水性（格子内への水の吸い込み性）と保水性（格子内への水の閉じ込め性）に優れたものを、実験等によって決定することができる。【０００８】  例えば、ポリエチレンの２５０〜３００デニールの経糸と１８０〜２００デニールの緯糸を用いた場合は、経糸と緯糸とは、４０回〜５０回／インチの交織りとする。詳細には、２５０デニールのポリエチレンの経糸と１８０デニールのポリエチレンの緯糸とを用いた場合は、４２回／インチの交織りした編成体を用いることができる。この編成体を使って、収納しようとするボトルの大きさに応じた袋状の容器カバーを形成する。
このようにすることで、編成体がボトルの表面に接触し、ボトル表面に結露した水分を吸い取って格子内に閉じ込め、閉じ込めた水分のボトルや衣服への再付着を防止することができる。また、乾燥も早い。
本発明で用いた編成体は、吸水性に優れ、閉じ込めた水分の再付着を抑制することができるので、容器カバー以外に壁材やテント等の内張、アイスボックスの内張等に適用範囲を拡げることができる。
(57)【要約】      （修正有）【課題】詰め替えパックで液体を本体ボトルに注ぐ時の液漏れを防止する為の詰め替えパック補助カバーを提供する。【解決手段】あたかも象の背中を断ち割ってお尻にかけて開口して、パック挿着開口部を設け、そこに詰め替えパックを挿着し、二又状の保持面で挟み込めるように形成し、鼻部位を注ぎ部とし、尻尾部位に取手を設ける。耳と目の部位は型抜きし、挿着された詰め替えパックが見えるようにする。お腹の部位には詰め替えパックが奥までしっかり挿着されたか分かるように小さな切れ込み部を設け、切れ込み部に挟まれた部分が丁度足に見える様に形成する。【選択図】図１
2012111553.tif 000002
【特許請求の範囲】
【請求項１】
象になぞらえて説明すれば、あたかも象の背中を断ち割ってお尻にかけて開口して、パック挿着開口部を設け、そこに詰め替えパックを挿着し、二又状の保持面で挟み込めるように形成し、鼻部位を注ぎ部とし、尻尾部位に取手を設ける。耳と目の部位は型抜きし、挿着された詰め替えパックが見えるようにする、お腹の部位には詰め替えパックが奥までしっかり挿着されたか分かるように小さな切れ込み部を設け、切れ込み部に挟まれた部分が丁度足に見える様に形成した事を特徴とする詰め替えパック補助カバー。
【発明の詳細な説明】
【技術分野】
【０００１】  本発明は、詰め替えパックで本体ボトルに液体を注ぐときの液漏れを防止する為の詰め替えパック補助カバーに関するものである。
【背景技術】
【０００２】  従来詰め替えパックは直接本体ボトルにパックの注ぎ口から液体を入れていた。
またパックをクリップで固定したりロートを使って（特許文献１参照）注ぎ入れ易くしたりする方法が種々知られている。
【先行技術文献】
【０００３】
【特許文献１】  特許公開２００９−４０５０１号公報
【発明の概要】
【発明が解決しようとする課題】
【０００４】  詰め替えパックで本体ボトルに液体を入れる時パックの切り口が短く、また中身が液体の為パックが揺れて注ぎ口がボトルの受け口に固定しない為漏れやすかった。クリップやロートの利用は余分な面倒さがあり安定性にも不安が付き纏った。
本発明はこれらの問題点を解決する為になされたものである。
【課題を解決するための手段】
【０００５】  象になぞらえて説明すれば、あたかも象の背中を断ち割ってお尻にかけて開口してパック挿着開口部を設け、そこに詰め替えパックを挿着し、二又状の保持面で挟み込めるように形成し、鼻部位を注ぎ部とし尻尾部位に取手を設ける。
耳と目の部位は型抜きし、挿着された詰め替えパックが見えるようにする。お腹の部位には詰め替えパックが奥までしっかり挿着されたか分かるように小さな切れ込み部を設け、切れ込み部に挟まれた部分が丁度足に見える様に形成する。
以上を特徴とする詰め替えパック補助カバーである。
【発明の効果】
【０００６】  詰め替えパックに詰め替えパック補助カバーをセットする事により注ぎ口が長くなり、ボトルの中まで入ってはずれる心配がない。詰め替えパック補助カバーでパックが固定される為、中身の液の量が変化しても安定して保持される。
【図面の簡単な説明】
【０００７】
【図１】本発明の斜視図
【図２】実施例を示す斜視図
【発明を実施するための形態】
【０００８】  以下、本発明の実施の形態について説明する。
象になぞらえて説明すれば、あたかも象の背中を断ち割ってお尻にかけて開口して、パック挿着開口部（４）を設け、そこに詰め替えパック（８）を挿着し二又状の保持面（１）で挟み込めるように形成し、鼻部位を注ぎ部（２）とし尻尾部位に取手（３）を設ける、耳と目の部位は型抜きして目型抜き部（６）と耳型抜き部（７）を設け、挿着された詰め替えパック（８）が見えるようにする。お腹の部位には詰め替えパック（８）が奥までしっかり挿着されたか分かるように小さな切れ込み部（５）を設け、切れ込み部（５）に挟まれた部分が丁度足に見える様に形成する。
【符号の説明】
【０００９】１    保持面
２    注ぎ部
３    取手
４    パック挿着開口部
５    切れ込み部
６    目型抜き部
７    耳型抜き部
８    詰め替えパック
【図１】
2012111553.tif 000003
【図２】
2012111553.tif 000004
(57)【要約】【課題】  既存のオートマテック車の右足による誤動作を皆無にする為、左足専用ブレーキの実用化と、普及を加速させ、右足ブレーキの固定観念を根本から見直し、世界共通の規格化が急務である。【解決手段】運転初心者は初めから左足でブレーキ操作を訓練させれば良く、また右足に慣れた運転者に対しては、左足ブレーキの効能を理解させ、本発明の左足用ブレーキペダルユニットの設置を機会に、僅かな時間で習熟出来る安心感と、簡単な運転トレーニングシュミレーション装置の利活用や、免許更新の機会など安全教育にも生かすことが有効である。【選択図】図１
2012111470.tif 000002
【特許請求の範囲】
【請求項１】
床取り付け構造のブレーキペダルユニットで、制動開始位置から制動終点位置までを、リンクモーションによる揺動運動するもので、ブレーキパワーシリンダ及び揺動復帰の為のコイルスプリングを組み付ける構造。
【請求項２】
新規生産車、又は既存車のブレーキペダルを改造するため、本発明の左足専用ブレーキペダルユニットの形状に類似させて製造ならびに販売してはならない。、
（イ）左足専用として、ペダルは左足が容易に踏み込めるように、床面に近く、左足が楽に押し込める角度と揺動距離とする。
（ロ）ペダルの右端に凸形のすべり止めを設けること
（ニ）オートマティック車左足専用ブレーキペダルユニットと呼称し、商品化してはならない。
【発明の詳細な説明】
【技術分野】
【０００１】既製のオートマティック車は右足による誤動作から急発進や衝突事故が発生している。ブーキペダルの形状及び位置を変え、誤動作を回避できる左足専用ブレーキペダルユニットを開発した。
【背景技術】
【０００２】既製のオートマティック車はアクセルとブレーキのペダルが近接しかつ、目視できずに感と馴れを前提に右足で踏み分けており、過去  約７，０００件の誤動作事故を引き起こしている。
【発明の概要】
【発明が解決しようとする課題】
【０００３】  既製のオートマティック車は次のような欠点がある。
１）加速と制動は右足のみの踏み分け操作で、ペダルの相対位置が近接し、制動時にペダル位置は目視できずに感で咄嗟に踏み込むため、アクセルの誤動作を事前に分別できない。
そのため悲しい事故が多発している、左足専用ブレーキペダルユニットを車の開発時にこのシステムを採用する事によって事故を未然に防ぐ効果がある。
２）ゴーカート、レーサー、フォークリフト、ショベルカーなど、既に左足ブレーキは特定分野で使用されているが、現在の市販されて居るオートマティック車には未だ実用化されていない。
３）左足ブレーキの効果と普及は、短時間に慣れることと、左足がスムーズに確実にペダルに載せやすい位置にすることが重要である。
【課題を解決するための手段】
【０００４】１）ブレーキペダルの形状及び位置を左足用に▲１▼左側に移動し、踏み位置を左足に近づける、▲２▼左足がフットレスト位置から、ブレーキペダルにスムーズに移行し、クイックスタートがし易い様に、ペダルの踏面を緩やかな勾配を付ける。
２）これからの新車開発時に採用されたく、簡便かつ耐久性や安全性を高めた、独自デザインのブレーキペダルユニットを発明した。
【発明の効果】
【０００５】１）アクセルは右足専用のまま、ブレーキは左足使用が簡単にできる機能であることと人間工学的にも単純な思考を生かし、誤動作を皆無に出来る合理的な発明である。
２）左足専用ブレーキペダルユニットを設置する事により、制動のタイミングや安全意識が高まり、事故の抑制に即効性が有る。
【図面の簡単な説明】
【０００６】
【図１】オートマティック車左足専用ブレーキペダルユニット
【発明を実施するための形態】
【０００７】（イ）開発車の運転席に合わせて、ブレーキペダルユニットを設置する事によって、運転席周りのレイアウトやスペースの機能的活用が拡大できる。
（ロ）特にオートマティック車の制動ペダルが左足にて簡便・容易に使用でき、誤動作の抑制に効果的であり、国際的に普及させる為にも、制動システムの統一規格化が望ましい。
【符号の説明】
【０００８】▲１▼左足専用ブレーキペダル（ペダル右端は滑り止め突起付）
▲２▼ペダル固定ショートリンク
▲３▼ペダル固定ロングリンク
▲４▼リンク揺動支持軸
▲５▼リンク揺動支持軸
▲６▼コイルスプリング（ペダル復帰用）
▲７▼ブレーキ用パワーシリンダー（イメージ）
（イ）左足の仮想図
（ロ）制動開始位置
（ハ）制動最終位置
ＦＬ：車両の床面（床取り付けの水平基準を示し、床面とブレーキペダルの高さは、参考までの模式図である）
【図１】
2012111470.tif 000003
(57)【要約】【課題】  背面板に軸を設けた、掲示物着脱具を提供する。【解決手段】  ビス留め用の穴の開いた背面板に強力な磁石を取付け、正面側に軸を設け、その先端と覆い部により固定と解除の機能を持たせたことを特徴とする掲示物着脱具である。【選択図】図１
2012111221.tif 000002
【特許請求の範囲】
【請求項１】
ビス留め用の穴の開いた背面板に強力な磁石を取付け、正面側に軸を設け、その先端と覆い部により固定と解除の機能を持たせたことを特徴とする掲示物着脱具。
【発明の詳細な説明】
【技術分野】
【０００１】  本発明は、ビス留め用の穴の開いた背面板に強力な磁石と軸をつけた掲示物着脱具に関するものである。
【背景技術】
【０００２】  従来、直接掲示物をピンや磁石で押さえて留める、掲示物固定具があった。
【発明の開示】
【発明が解決しようとする課題】
【０００３】  そのために、次のような問題点があった。
（イ）見開き型や冊子型の掲示物を掲示板に掲示したいときは、ピンで固定できる掲示板にあたっては、ピンでは力不足なうえに、針の長いピンを使用する必要があった。また、磁石で固定できる掲示板にあたっては、何枚かの厚さの掲示物を支えるのが限界であった。
（ロ）定期発行の掲示物の新旧を掲示したいときや、多数の大きな掲示物を掲示したいときが重なったときは、ごちゃごちゃした掲示になったり、選別しての掲示になってしまっていた。
【課題を解決するための手段】
【０００４】  ビス留め用の穴の開いた背面板に強力な磁石を取付け、正面側に軸を設ける。その先端と覆い部により固定と解除の機能を持たせる。以上を特徴とする掲示物着脱具である。
【発明の効果】
【０００５】  （イ）見開き型や冊子型の掲示物を掲示板に掲示するときの、耐荷重が従来の方法よりも断然に向上した。
（ロ）定期発行の掲示物を綴って、まとめて大量に掲示できるようになり、掲示物が整理されてすっきりした、見栄えの良い掲示が可能になった。
【発明を実施するための最良の形態】
【０００６】  以下、本発明の実施の形態について説明する。
（イ）  ビス留め用穴（１）の開いた背面板（２）の背面側に、強力な磁石（５）を取付ける。
（ロ）  背面板（２）の正面側に、数本の軸（３）を取付ける。
（ハ）  軸（３）の先端と接するように覆い部（４）を設ける。
本発明は以上のような構成で、これを使用するときは、ビス留め用穴を使用するときは、ビスでビスの取付けができる壁等に、強力磁石を使用するときは、磁石が貼付く金属板等へ取付けて使用する。使用する材質がゴムのように弾力性があり、もとの形状復元力がある材質を使用するときは覆い部（４）をずらして、覆い部（４）と軸（３）の間から、穴の開いた掲示物を入れ、その穴に軸（３）の先端から差込み、掲示物を支える。次いで、覆い部（４）をもとの形に戻し、軸（３）と覆い部（４）が接することにより、掲示物が外れるのを防ぐ。
また、図４に示すように、覆い部（４）に金属を使用するときは、蝶番（６）やロック解除ボタン（７）のように、その部品の特性に応じて、覆い部（４）をずらしたり取外したりして、掲示物の着脱ができる。
同じく、見出しカバー（８）を取付けても使用できる。
【図面の簡単な説明】
【０００７】
【図１】  本発明の正面、左側面及び底面を表す図
【図２】  本発明の背面、右側面及び平面を表す図
【図３】  本発明の一部を切り欠いた側面図
【図４】  本発明の他の実施例を示す斜視図
【符号の説明】
【０００８】１    ビス留め用穴
２    背面板
３    軸
４    覆い部
５    強力磁石
６    蝶番
７    ロック解除ボタン
８    見出しカバー
【図１】
2012111221.tif 000003
【図２】
2012111221.tif 000004
【図３】
2012111221.tif 000005
【図４】
2012111221.tif 000006